(57)【要約】【課題】ＴＴＩに含まれるシンボル数が少ない場合でもデータチャネルの伝送効率を維持する送信装置を提供すること。【解決手段】送信装置は、共通パイロットチャネル、共有制御チャネル及び共有データチャネルを多重化する多重化手段と、多重化された信号を逆フーリエ変換し、シンボルを生成する手段と、生成されたシンボルを送信する手段とを有する。多重化手段は、ペイロードを含む共有データチャネルの復調に使用される共有制御チャネルと共有制御チャネルの復調に使用され複数のユーザに共通に使用される共通パイロットチャネルとを周波数多重し、共通パイロットチャネル及び共有制御チャネルと共有データチャネルとを時間多重する。ＴＴＩを構成するシンボル数が減少すれば（１シンボルの期間は長くなり）、それに応じて共通パイロットチャネルの挿入頻度を少なくすることで、共通パイロットチャネル以外のチャネルの伝送効率を維持することができる。【選択図】図２
2007089113.tif 000002
【特許請求の範囲】
【請求項１】
共通パイロットチャネル、共有制御チャネル及び共有データチャネルを多重化する多重化手段と、
多重化された信号を逆フーリエ変換し、シンボルを生成する手段と、
生成されたシンボルを送信する手段と、
を有する送信装置であって、前記多重化手段は、ペイロードを含む共有データチャネルの復調に必要な制御情報を含む共有制御チャネルと複数のユーザに共通に使用される共通パイロットチャネルとを周波数方向、時間方向またはそれらの組合せにより多重化し、共通パイロットチャネル及び共有制御チャネルと共有データチャネルとを周波数方向、時間方向またはそれらの組合せにより多重化する
ことを特徴とする送信装置。
【請求項２】
前記多重化手段が、共有データチャネルの復調に使用され特定の１以上のユーザに使用される個別パイロットチャネルと、共通パイロットチャネル及び共有制御チャネルとを周波数方向、時間方向またはそれらの組合せにより多重化する
ことを特徴とする請求項１記載の送信装置。
【請求項３】
前記個別パイロットチャネルが、一定の周波数間隔で第１の時刻に時間多重され、第２の時刻でも一定の周波数間隔で時間多重される
ことを特徴とする請求項２記載の送信装置。
【請求項４】
前記個別パイロットチャネルは、高速に移動する通信相手へ送信されるが、高速に移動してはいない通信相手には送信されない
ことを特徴とする請求項２記載の送信装置。
【請求項５】
特定の通信相手に送信ビームの指向性を合わせる手段を有し、
前記個別パイロットチャネルが特定の通信相手毎に挿入される
ことを特徴とする請求項２記載の送信装置。
【請求項６】
複数の送信アンテナを有し、
１以上の送信アンテナから共通パイロットチャネルが送信され、
別の１以上の送信アンテナから個別パイロットチャネルが送信される
ことを特徴とする請求項２記載の送信装置。
【請求項７】
前記共通パイロットチャネル及び前記個別パイロットチャネルが時間方向に、周波数方向に又は時間及び周波数の双方向に不連続にマッピングされる
ことを特徴とする請求項２記載の送信装置。
【請求項８】
前記共通パイロットチャネルがセルまたはセクタ間で直交する符号とともに伝送される
ことを特徴とする請求項１記載の送信装置。
【請求項９】
所定の符号長を有するカザック符号の全部又は一部が前記共通パイロットチャネルを構成する
ことを特徴とする請求項１記載の送信装置。
【請求項１０】
或るセルまたはセクタの共有データチャネルが送信される場合に、異なるセルまたはセクタの共有データチャネルの送信電力が所定値未満に抑制される
ことを特徴とする請求項８又は９に記載の送信装置。
【請求項１１】
或るセルまたはセクタの共通パイロットチャネル及び異なるセルまたはセクタの共通パイロットチャネルを送信する時間及び周波数の双方又は一方が異なるように、共通パイロットチャネルの送信が行われる
ことを特徴とする請求項８又は９に記載の送信装置。
【請求項１２】
或るセルまたはセクタの共通パイロットチャネルが送信される場合に、別のセルまたはセクタの共有データチャネルの送信電力が所定値未満に抑制される
ことを特徴とする請求項１１記載の送信装置。
【請求項１３】
ペイロートを含む共有データチャネルの復調に必要な制御情報を含む共有制御チャネルと複数のユーザに共通に使用される共通パイロットチャネルとを周波数方向、時間方向またはそれらの組合せにより多重化し、共通パイロットチャネル及び共有制御チャネルと共有データチャネルとを周波数方向、時間方向またはそれらの組合せにより多重化し、
多重化された信号を逆フーリエ変換し、シンボルを生成し、
生成されたシンボルを送信する
ことを特徴とする送信方法。
【請求項１４】
送信装置から送信されたシンボルを受信する手段と、
受信したシンボルをフーリエ変換する手段と、
フーリエ変換後の信号から共通パイロットチャネル、共有制御チャネル及び共有データチャネルを分離する分離手段と、
を有する受信装置であって、
前記分離手段は、複数のユーザに共通に使用される共通パイロットチャネルと共有データチャネルの復調に必要な制御情報を含む共有制御チャネルとを周波数、時間またはそれらの組合せにより分離し、共通パイロットチャネル及び共有制御チャネルとペイロードを含む共有データチャネルとを周波数、時間またはそれらの組合せにより分離する
ことを特徴とする受信装置。
【請求項１５】
送信装置から送信されたシンボルを受信し、
受信したシンボルをフーリエ変換し、
ペイロードを含む共有データチャネルの復調に必要な制御情報を含む共有制御チャネルと複数のユーザに共通に使用される共通パイロットチャネルとを周波数、時間またはそれらの組合せにより分離し、共通パイロットチャネル及び共有制御チャネルと共有データチャネルとを周波数、時間またはそれらの組合せにより分離する
ことを特徴とする受信方法。
【請求項１６】
複数の移動局に共通に使用される共通パイロットチャネルを生成する手段と、
送信する２以上のチャネルを多重化する多重化手段と、
多重化された信号を逆フーリエ変換し、無線送信用のシンボルを生成する手段と、
複数のセクタに共通する拡散符号系列とセクタ毎に異なる直交符号系列とを共通パイロットチャネルに乗算する第1の乗算手段と、
を有することを特徴とする送信装置。
【請求項１７】
前記第1の乗算手段が、複数のセクタに共通する拡散符号系列とセクタ毎に異なる直交
符号系列とを、共通パイロットチャネル以外のチャネルにも乗算する
ことを特徴とする請求項１６記載の送信装置。
【請求項１８】
複数のセクタに共通する拡散符号系列から、所定の規則に従って別の拡散符号系列を導出する導出手段と、
導出された拡散符号系列を前記パイロットチャネル以外のチャネルに乗算する第２の乗算手段と、
を更に有することを特徴とする請求項１７記載の送信装置。
【請求項１９】
前記第1の乗算手段が、複数のセクタに共通する拡散符号系列とセクタ毎に異なる直交
符号系列とを、共通パイロットチャネル及び共有制御チャネルに乗算し、
前記第２の乗算手段が、前記別の拡散符号系列を共有データチャネルに乗算する
ことを特徴とする請求項１８記載の送信装置。
【発明の詳細な説明】
【技術分野】
【０００１】
本発明は、一般に移動通信の技術分野に関し、特に直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式の移動通信システムに使用される送信装置、送信方法、受信装置及び受信方法に関連する。
【背景技術】
【０００２】
映像通信やデータ通信が主に行われる将来の移動通信システムでは、従来の移動通信システム（ＩＭＴ−２０００）をしのぐ能力が求められ、大容量化、高速化、ブロードバンド化等を十分に達成する必要がある。広帯域の移動通信システムでは、マルチパス伝搬環境による周波数選択性フェージングの影響が顕著になり、このため、ＯＦＤＭ方式が次世代の通信方式に有望視されている。ＯＦＤＭ方式では、伝送すべき情報を含む有効シンボル部にガードインターバル部を付加することでシンボルが形成され、所定の送信時間間隔（ＴＴＩ：Ｔｒａｎｓｍｉｓｓｉｏｎ  Ｔｉｍｅ  Ｉｎｔｅｒｖａｌ）毎に複数個のシンボルが送信される。また、１つのフレームには所定数個のＴＴＩが含まれる。ガードインターバル部は有効シンボル部に含まれている情報の一部で作成される。ガードインターバル部は、サイクリックプレフィックス（ＣＰ）とも呼ばれる。図１はフレーム、ＴＴＩ及びシンボルの相互関係を示す。受信側では、様々な伝搬遅延を有するパスが受信される。しかしながら、ＯＦＤＭ方式では、伝搬遅延がガードインターバル部の期間内に収まっていれば、シンボル間干渉を効果的に抑制することができる。
【０００３】
１つのＴＴＩの間には様々なチャネルが伝送され、そのチャネルには共通パイロット（ｃｏｍｍｏｎ  ｐｉｌｏｔ）チャネル、共有制御（ｓｈａｒｅｄ  ｃｏｎｔｒｏｌ）チャネル及び共有データチャネル（ｓｈａｒｅｄ  ｄａｔａ）が含まれてもよい。共通パイロットチャネルは共有制御チャネルを復調するために使用され、複数のユーザに共通に使用される。具体的には、共通パイロットチャネルはチャネル推定、同期検波、受信信号品質の測定等に使用される。共有制御チャネルは、ペイロード（又はトラフィック情報チャネル）を含む共有データチャネルを復調するのに使用される。パイロットチャネルを含む従来の信号形式については、例えば非特許文献１に記載されている。
【非特許文献１】立川敬二  監修、「Ｗ−ＣＤＭＡ移動通信方式」、丸善株式会社、ｐｐ．１００−１０１
【発明の開示】
【発明が解決しようとする課題】
【０００４】
ところで、送信時間間隔（ＴＴＩ）は情報伝送における様々な単位を規定し、例えば、パケットの送信単位、ＭＣＳ（Ｍｏｄｕｌａｔｉｏｎ  ａｎｄ  Ｃｏｄｉｎｇ  Ｓｃｈｅｍｅ）におけるデータ変調方式及びチャネル符号化率の更新単位、誤り訂正符号化の単位、自動再送制御（ＡＲＱ：Ａｕｔｏｍａｔｉｃ  Ｒｅｐｅａｔ  ｒｅＱｕｅｓｔ）における再送単位、パケットスケジューリングの単位等がＴＴＩによって決まるので、ＴＴＩ長やフレーム長は一定に維持されるべきである。しかし、ＴＴＩに含まれるシンボル数についてはアプリケーションにより又はシステムにより適宜変更する余地があるかもしれない。
【０００５】
一方、各種のチャネルの従来の伝送方式では、ＴＴＩ中の１以上のシンボルに共通パイロットを割り当て、そのＴＴＩ中の他のシンボルに制御チャネル又はデータチャネルが割り当てられる。例えば、ＴＴＩが１０シンボルで構成される場合に１シンボルが共通パイロットチャネルで占められたとする。この場合、共通パイロットチャネルはＴＴＩの中で１／１０＝１０％を占める。これに対して、ＴＴＩが５シンボルで構成され、その内の１シンボルが共通パイロットチャネルで占められたとする。この場合、共通パイロットチャネルはＴＴＩの中で１／５＝２０％も占めてしまう。従って、ＴＴＩに含まれるシンボル数が少なくなると、データチャネルの伝送効率が低下してしまう問題が生じる。このような傾向はＴＴＩ中のシンボル数が少なくなるほど顕著になる。
本発明は、上記問題点に対処するためになされたものであり、その課題は、ＴＴＩに含まれるシンボル数が少ない場合でもデータチャネルの伝送効率を維持する又は向上させる送信装置、送信方法、受信装置及び受信方法を提供することである。
【課題を解決するための手段】
【０００６】
本発明では、共通パイロットチャネル、共有制御チャネル及び共有データチャネルを多重化する多重化手段と、多重化された信号を逆フーリエ変換し、シンボルを生成する手段と、生成されたシンボルを送信する手段とを有する送信装置が使用される。多重化手段は、ペイロードを含む共有データチャネルの復調に使用される共有制御チャネルと共有制御チャネルの復調に使用され複数のユーザに共通に使用される共通パイロットチャネルとを周波数方向に多重化し、共通パイロットチャネル及び共有制御チャネルと共有データチャネルとを時間方向に多重化する。
【発明の効果】
【０００７】
本発明によれば、ＴＴＩに含まれるシンボル数が少ない場合でもデータチャネルの伝送効率を維持する又は向上させることができる。
【発明を実施するための最良の形態】
【０００８】
本発明の一形態によれば、共通パイロットチャネル及び共有データチャネルは時間多重され、共有制御チャネル及びデータチャネルも時間多重される。共通パイロットチャネルがシンボル中の全周波数帯域ではなく、一部の周波数帯域又は一部のサブキャリアにしか割り当てられていないので、そのシンボル中の他のサブキャリアに共通パイロットチャネル以外のチャネルを割り当てることができる。共通パイロットチャネルの周波数方向の挿入位置を調整することで、共通パイロットチャネルがＴＴＩの中で占める割合を調整することができる。従って、ＴＴＩを構成するシンボル数が減少すれば（１シンボルの期間は長くなり）、それに応じて共通パイロットチャネルの挿入頻度を少なくすることで、共通パイロットチャネル以外のチャネルの伝送効率を少なくとも維持することができる。
【０００９】
本発明の一形態では、共有制御チャネルの復調に使用され特定の１以上のユーザに使用される個別パイロットチャネルと、共通パイロットチャネル及び共有制御チャネルとが時間方向に多重化される。共通パイロットチャネルに加えて個別パイロットチャネルを用いてチャネル推定等を行うことで、チャネル推定精度等を向上させることができる。
【００１０】
個別パイロットチャネルは、一定の周波数間隔で第１の時刻に時間多重され、第２の時刻でも一定の周波数間隔で時間多重されてもよい。時間及び周波数の双方向にパイロットチャネルを分散させることで、パイロットチャネル以外のチャネルの伝送効率を向上させつつ、パイロットチャネルのダイバーシチ効果を向上させることができる。
【００１１】
個別パイロットチャネルは、高速に移動する通信相手へ送信されるが、高速に移動してはいない通信相手には送信されなくてもよい。時間方向のチャネル変動の大きいユーザだけに個別パイロットチャネルを送信することで、それを不必要に送信しなくて済む。
【００１２】
特定の通信相手に送信ビームの指向性を合わせる手段が送信装置に設けられてもよい。個別パイロットチャネルは特定の通信相手毎に挿入されてもよい。指向性ビームが使用される場合には、ビーム毎にチャネルの状況が異なる。共通パイロットチャネルに加えて、その方向に特化した個別パイロットチャネルを利用することで、チャネル推定精度を向上させることができる。
【００１３】
ＭＩＭＯ多重法が使用される場合に、１以上の送信アンテナから共通パイロットチャネルが送信され、別の１以上の送信アンテナから個別パイロットチャネルが送信されてもよい。これにより、受信側の装置の等級（具体的には受信アンテナ数）に応じて適切なＭＩＭＯ多重伝送を行うことができる。
【００１４】
本発明の一態様では、送信装置から送信されたシンボルを受信する手段と、受信したシンボルをフーリエ変換する手段と、フーリエ変換後の信号から共通パイロットチャネル、共有制御チャネル及び共有データチャネルを分離する分離手段とを有する受信装置が使用される。分離手段は、共有制御チャネルの復調に使用され複数のユーザに共通に使用される共通パイロットチャネルと共有データチャネルの復調に使用される共有制御チャネルとを周波数分離し、共通パイロットチャネル及び共有制御チャネルとペイロードを含む共有データチャネルとを時間分離する。
【００１５】
本発明の一態様によるＯＦＤＭ方式の送信装置では、複数のセクタに共通する拡散符号系列（スクランブルコード）とセクタ毎に異なる直交符号系列とが共通パイロットチャネルに乗算され、それが通信相手（典型的には移動局）に送信される。スクランブルコードでなく直交符号で各セクタが区別されるので、セクタの判別を簡易且つ高精度に行うことができ、パイロットチャネルの高品質化を図ることができる。
【００１６】
複数のセクタに共通する拡散符号系列とセクタ毎に異なる直交符号系列とが、共通パイロットチャネル以外のチャネルに乗算されてもよい。
【００１７】
複数のセクタに共通する拡散符号系列から、所定の規則に従って別の拡散符号系列が導出され、導出された拡散符号系列がパイロットチャネル以外のチャネルに乗算されてもよい。これにより、パイロットチャネルとそれ以外のチャネルで異なるスクランブルコードを使用しつつ、導出規則を利用することで双方のスクランブルコードを速やかに検出することができる。
【００１８】
複数のセクタに共通する拡散符号系列とセクタ毎に異なる直交符号系列とが、共通パイロットチャネル及び共有制御チャネルに乗算され、且つ別の拡散符号系列が共有データチャネルに乗算されてもよい。これにより、例えば拡散率が変動するか否かの観点からスクランブルコードを使い分けることができる。
【００１９】
以下の実施例では、下りリンクにＯＦＤＭ方式を採用するシステムが使用されるが、他のマルチキャリア方式のシステムに本発明が使用されてもよい。
【実施例１】
【００２０】
図２は、本発明の一実施例による送信機の一部を示す。この送信機は典型的には本実施例のように移動通信システムの無線基地局に設けられるが、それ以外の装置に設けられてもよい。送信機は、Ｋ個のデータチャネル処理部２０２−１〜Ｋと、共通パイロット多重部２０４と、ＩＦＦＴ部２０６と、ガードインターバル挿入部２０８とを有する。データチャネル処理部の各々の構成及び機能は同じであるので、第１のデータチャネル処理部２０２−１がそれらを代表して説明される。データチャネル処理部２０２−１は、拡散及びチャネル符号化部２１０と、インターリーブ処理部２１２と、データ変調部２１４と、時間及び周波数マッピング部２１６とを有する。
【００２１】
データチャネル処理部２０２−１は、第１のユーザに関するデータチャネルを処理する。説明の便宜上、１つのデータチャネル処理部が１ユーザに関する処理を行うように描かれているが、１ユーザに対する処理が複数のデータチャネル処理部でなされてもよい。
【００２２】
拡散及びチャネル符号化部２１０は、送信されるデータチャネルのチャネル符号化を行い、誤り訂正能力を高める。本実施例ではＯＦＤＭ方式で通信が行われ符号拡散は行われない。しかし、別の実施例ではＯＦＣＤＭ方式で通信が行われ、拡散及びチャネル符号化部２１０が送信されるデータチャネルを符号拡散し且つチャネル符号化も行う。チャネル符号化は例えばターボ符号化により行われてもよい。
【００２３】
インターリーブ処理部２１２は、チャネル符号化後の信号の時間方向及び／又は周波数方向のシンボルの並び方を送受両側で既知の規則に従って変更する。
【００２４】
データ変調部２１４は、送信される信号を適切な変調方式に従って信号点配置図（ｓｉｇｎａｌ  ｃｏｎｓｔｅｌｌａｔｉｏｎ）にマッピングする。例えばＱＰＳＫ、１６ＱＡＭ、６４ＱＡＭ等様々な変調方式が使用されてもよい。適応変調符号化（ＡＭＣ：Ａｄａｐｔｉｖｅ  Ｍｏｄｕｌａｔｉｏｎ  ａｎｄ  Ｃｏｄｉｎｇ）が行われる場合には、変調方式及びチャネル符号化率がその都度指定される。
【００２５】
時間及び周波数マッピング部２１６は、送信されるデータチャネルを時間方向及び／又は周波数方向にどのようにマッピングするかを決定する。
【００２６】
共通パイロット多重部２０４は、共通パイロットチャネル、共有制御チャネル及びデータチャネルを多重化し、出力する。多重化は、時間方向、周波数方向又は時間及び周波数両方向になされてもよい。
【００２７】
ＩＦＦＴ部２０６は、送信する信号を高速逆フーリエ変換し、ＯＦＤＭ方式の変調を行う。これにより、有効シンボル部が形成される。
【００２８】
ガードインターバル挿入部２０８は、有効シンボル部の一部を抽出し、それを有効シンボル部の先頭又は末尾に付加することで、送信シンボル（送信信号）を作成する。
【００２９】
各ユーザに送信されるデータチャネルはデータチャネル処理部２０２−１〜Ｋの各々で処理される。データチャネル処理部内では、データチャネルがチャネル符号化され、インターリーブされ、データ変調され、時間／周波数方向のマッピングが決定される。データチャネル処理部２０２−１〜Ｋの各々からの出力は共通パイロット多重部２０４で共通パイロットチャネル及び共有制御チャネルと多重化される。多重化された信号は、高速逆フーリエ変換され、変換後の信号（有効シンボル部）にガードインターバルが付加され、送信シンボルが作成される。送信シンボルは不図示の無線部を経て無線送信される。
【００３０】
図３は、本発明の一実施例による受信機の一部を示す。このような受信機は典型的には本実施例のように移動通信システムの移動局（例えばユーザ＃１の通信装置）に設けられてもよいが、他の装置に設けられてもよい。受信機は、ガードインターバル除去部３０２と、ＦＦＴ部３０４と、共通パイロット分離部３０６と、チャネル推定部３０８と、個別パイロット分離部３１０と、時間及び周波数データ抽出部３１２と、データ復調部３１４と、デインタリーブ処理部３１６と、逆拡散及びチャネル復号化部３１８とを有する。
【００３１】
ガードインターバル除去部３０２は、送信シンボルからガードインターバル部を除去し、有効シンボル部を抽出する。
【００３２】
ＦＦＴ部３０４は、信号を高速フーリエ変換し、ＯＦＤＭ方式の復調を行う。
【００３３】
共通パイロット分離部３０６は、ＯＦＤＭ方式で復調されたサブキャリア毎の信号から、共通パイロットチャネル及び共有制御チャネルと他のチャネルを分離する。
【００３４】
チャネル推定部３０８は、分離された共通パイロットチャネルを用いてチャネル推定を行い、チャネル補償のための制御信号をデータ復調部３１４等に与える。このような制御信号は、図示の簡明化のため詳細には描かれてはいないが、共有制御チャネルのチャネル補償にも使用される。
【００３５】
個別パイロット分離部３１０は、本実施例では使用されないが、後述の実施例では、個別パイロットチャネルとそれ以外のチャネルを分離する。個別パイロットチャネルはチャネル推定部に与えられ、チャネル推定精度を高めるために使用される。
【００３６】
時間及び周波数データ抽出部３１２は、送信側で決定されたマッピングの規則に従ってデータチャネルを抽出し、出力する。
【００３７】
データ復調部３１４は、データチャネルに対してチャネル補償を行い、復調を行う。復調方式は、送信側で行われた変調方式に合わせて行われる。
【００３８】
デインタリーブ処理部３１６は、送信側で行われたインターリーブに対応して、シンボルの並び方を変更する。
【００３９】
逆拡散及びチャネル復号化部３１８は、受信したデータチャネルのチャネル復号化を行う。本実施例ではＯＦＤＭ方式で通信が行われ符号逆拡散は行われない。しかし、別の実施例ではＯＦＣＤＭ方式で通信が行われ、逆拡散及びチャネル復号化部３１８が受信したデータチャネルを符号逆拡散し且つチャネル復号化も行う。
【００４０】
アンテナで受信された信号は、不図示の無線部を経てベースバンドに変換され、ガードインターバルが除去され、高速逆フーリエ変換される。変換後の信号から共通パイロットチャネルが分離され、チャネル推定が行われる。また、変換後の信号から共有制御チャネル及びデータチャネルが分離され、それぞれ復調される。復調後のデータチャネルはデインタリーブされ、チャネル復号化され、そして送信されたデータが復元される。
【００４１】
図４は、本実施例で行われる各種チャネルの多重化の様子を示す。一例として、本実施例では、１０ｍｓのフレーム中に２０個のＴＴＩが含まれる（この場合、１ＴＴＩは０．５ｍｓである。）。１つのＴＴＩは時間方向に並ぶ７つのシンボルで構成される（ＮＤ＝７）。
【００４２】
図示の例では、共通パイロットチャネル、共有制御チャネル、個別パイロットチャネル及びデータチャネルが多重化されている。個別パイロットチャネルについては第２実施例以降で説明される。共通パイロットチャネル及び共有制御チャネルは１つのシンボルの中で周波数多重されている。より具体的には、共通パイロットチャネルは、ＴＴＩ中の先頭シンボルの中で一定の周波数間隔で挿入されている。そのＴＴＩ中の２番目以降のシンボルで共有データチャネルが伝送される。即ち、共通パイロットチャネル及び共有データチャネルは時間多重され、共有制御チャネル及びデータチャネルも時間多重される。共通パイロットチャネルがシンボル中の全周波数帯域ではなく、一部の周波数帯域又は一部のサブキャリアにしか割り当てられていないので、そのシンボル中の他のサブキャリアに共通パイロットチャネル以外のチャネルを割り当てることができる。共通パイロットチャネルの周波数方向の挿入位置を調整することで、共通パイロットチャネルがＴＴＩの中で占める割合を調整することができる。従って、ＴＴＩを構成するシンボル数が減少すれば（１シンボルの期間は長くなり）、それに応じて共通パイロットチャネルの挿入頻度を少なくすることで、共通パイロットチャネル以外のチャネルの伝送効率を少なくとも維持することができる。
【００４３】
図５は共通パイロットチャネル及び共有制御チャネルを多重化する様々なチャネル構成例を示す。チャネル構成は、図示されるものに限定されず、様々な構成を使用することができる。チャネル構成例１は、図４に示されるものと同様である。上述したように共通パイロットチャネルは共有制御チャネルを復調するためのチャネル推定に使用される。チャネル構成例１では、共通パイロットチャネルと共有制御チャネルが周波数多重され、共有制御チャネルの挿入されているサブキャリアに対する共通パイロットチャネルは存在しないので、共有制御チャネルに対するチャネル推定値を直接的に得ることはできない。このチャネル構成例では、共通パイロットチャネルが挿入されているサブキャリアのチャネル推定値を補間することで、共有制御チャネルに関するチャネル推定値が導出される。補間は例えば線形補間を利用してもよい。図中、双方向の矢印はその区間で補間が行われることを意味する。この例では、共通パイロットチャネル及び共有制御チャネルが先頭のシンボルで総て得られるので速やかに共有データチャネルの復調を行うことができる。また、共通パイロットチャネル及び共有制御チャネルを周波数方向に広く分散させるので、周波数ダイバーシチ効果が大きくなり、周波数選択フェージングに対する耐性を高めることができる。
【００４４】
チャネル構成例２では、共通パイロットチャネルと共有制御チャネルが時間多重される。この例では、チャネル構成例１のようにチャネル推定値を補間しなくて済む。共通パイロットチャネル及び共有制御チャネルを周波数方向に広く分散させるので、周波数選択フェージングに対する耐性を高めることができる。
【００４５】
チャネル構成例３では、共有制御チャネルは、一部の共通パイロットチャネルの後に時間多重され、別の共通パイロットチャネルの後には挿入されない。共通パイロットチャネル及び共有制御チャネルが時間方向に多重されるので、それらの電力比を調整しながら送信することができる。この例では、共有制御チャネルはＴＴＩのほぼ全期間にわたって挿入されているので、全期間にわたるチャネル推定値が必要になる。この場合、先頭シンボルの共通パイロットチャネルだけを利用したのでは、末尾のシンボルに対するチャネル推定精度を十分に保証することができないかもしれない。特に高速で移動している場合には時間方向のチャネル変動が大きいからである。このため、ＴＴＩ中の先頭シンボルのチャネル推定値と、後続のＴＴＩの先頭シンボルのチャネル推定値との双方を利用して（例えばそれらを線形補間することで）チャネル推定が行われることが望ましい。
【００４６】
チャネル構成例４では、共有制御チャネルは、時間及び周波数双方向のホッピングパターンで多重化される。共通パイロットチャネル及び共有制御チャネルを周波数方向に広く分散させるので、周波数選択フェージングに対する耐性を高めることができる。共通パイロットチャネル及び共有制御チャネルが時間方向に分散されるので、それらの電力比を調整しながら送信することができる。
【実施例２】
【００４７】
本発明の第２実施例では、共通パイロットチャネルに加えて個別パイロットチャネルも使用される。これらのチャネルはチャネル推定等に使用される点で共通するが、前者は総ての移動局に共通に使用され、後者は特定の移動局にしか使用されない点で異なる。従って、共通パイロットチャネルを表す信号は１種類でもよいが、個別パイロットチャネルを表す信号は移動局数以上用意されるべきである。個別パイロットチャネルは、移動局が高速で移動する場合、下り回線に指向性ビームが使用される場合、移動局が所定の受信アンテナ数を有する等の場合に使用され、それらの具体的詳細については後述される。
【００４８】
図６は個別パイロットチャネルを含む様々なチャネル構成例を示す。チャネル構成は、図示されるものに限定されず、様々な構成を使用することができる。チャネル構成例１では、個別パイロットチャネルが２番目のシンボル中で一定の周波数間隔で挿入されている。チャネル構成例２では、個別パイロットチャネルは、時間及び周波数の双方向にホッピングするパターンで挿入される。チャネル構成例３では、個別パイロットチャネルは、一部の共通パイロットチャネルの後に時間多重され、別の共通パイロットチャネルの後には挿入されていない。チャネル構成例４では、個別パイロットチャネルと共有データチャネルとが符号多重されている。
【００４９】
共通パイロットチャネル及び個別パイロットチャネルに関し、時間領域でのチャネル推定が行われる場合には、パイロットチャネルの挿入間隔ΔＰがサンプリング定理を満たす必要がある。具体的には、
ΔＰ＜Ｔｓ／ｄｍａｘ
が成り立つように挿入間隔が設定されるべきである。ここで、Ｔｓは有効シンボル部の期間（ガードインターバル部を除去した後のシンボルの期間）を表し、ｄｍａｘはパスの伝搬遅延の最大値を表し、これらの関係は図７に示されている。例えば、Ｔｓ＝８０μｓ及びｄｍａｘ＝２０μｓとすると、挿入間隔ΔＰは４以下にすべきである。
【実施例３】
【００５０】
図８は本発明の一実施例による送信機の一部を示す。図２で説明済みの要素には同じ参照番号が付されている。図８では、データチャネル処理部２０２−１に個別パイロットチャネル制御部７２及び個別パイロットチャネル多重部７４が描かれている。これらの要素は他のデータチャネル処理部２０２−２〜Ｋにも備わっている。個別パイロットチャネル制御部７２は、移動局の移動度に応じて、その移動局へ送信する信号に個別パイロットチャネルを挿入するか否かを判定する。移動度は例えば最大ドップラ周波数で測定され、それが所定値を超える場合に個別パイロットチャネルが挿入されてもよい。個別パイロット多重部７４は、個別パイロットチャネル制御部７２からの指示に応じて、そのユーザに送信する信号に個別パイロットチャネルを挿入する、或いは挿入せずに共通パイロット多重部２０４に信号を与える。
【００５１】
例えば図３に示されるような移動局は、自身が高速で移動しているか否かを判断できる量を基地局に通知する。そのような量は例えば最大ドップラ周波数であるが、それに限定されない。個別パイロットチャネル制御部７２で移動局が高速移動していると判定されると、個別パイロット多重部で個別パイロットチャネルが信号に多重化される。そうでなければ個別パイロットチャネルの多重化は行われない。本実施例では、高速に移動している移動局への信号には個別パイロットチャネルが挿入されているが、そうでない移動局への信号には個別パイロットチャネルは挿入されない。移動局では、共通パイロットチャネルに加えて個別パイロットチャネルをチャネル推定に利用することで、チャネル推定精度を向上させることができる。
【００５２】
図９は周波数帯域が複数の周波数ブロックに分割されている場合のチャネル構成の一例を示す。１つの周波数ブロックには多数のサブキャリアが含まれているものとする。このような周波数ブロックはチャンク（ｃｈｕｎｋ）、周波数チャンク又はリソースブロックとも呼ばれる。ユーザは、通信する内容（データサイズ等）に応じて１以上のチャンクを使用することができる。図示の例では、高速に移動するユーザに対して周波数チャンク１が使用され、共有データチャネル及び個別パイロットチャネルが多重化されている。また、高速には移動していないユーザに対して別の周波数チャンク２が使用され、このユーザに対する個別パイロットチャネルは多重化されていない。高速に移動する移動局ではチャネル推定値の時間変化は大きいかもしれないので、共通及び個別パイロットチャネルの双方を利用することでチャネル推定値を高精度に求めることができる。一方、静止している或いは低速でしか移動していない移動局ではチャネル推定値の時間変化は少ないことが予想される。そのようなユーザに共通及び個別パイロットチャネルの双方を伝送すると、不必要にパイロットチャネルが伝送されて却ってデータ伝送効率を悪くしてしまう。本実施例のように、個別パイロットチャネル推定部７２で移動局の移動度を検査し、個別パイロットチャネルの要否をユーザ毎に判定することで、個別パイロットチャネルが無駄に送信されずに済む。
【実施例４】
【００５３】
図１０は本発明の一実施例による送信機の一部を示す。図２で説明済みの要素には同じ参照番号が付されている。本実施例では、複数の送信アンテナを用いて信号の送信が行われる。このため、データチャネル処理部２０２−１には、個別パイロット多重部１０２、アンテナウエイト制御部１０４及びウエイト設定部１０６が設けられている。更に、複数の送信アンテナの各々に共通パイロット多重部２０４、ＩＦＦＴ部２０６及びガードインターバル挿入部２０８等の要素が設けられている。個別パイロット多重部１０２は、送信される信号に個別パイロットチャネルを多重化する。本実施例では全ユーザに個別パイロットチャネルがそれぞれ使用される。アンテナウエイト制御部１０４は、複数の送信アンテナの各々に対するウエイト又は重みを調整する。このウエイトを適切に調整することで、特定の方向に指向性を有する或いは無指向性のビームパターンを実現することができる。ウエイト設定部１０６は、アンテナウエイト制御部１０４からの制御信号に応じて各送信アンテナに対するウエイトを設定する。ウエイトは典型的には位相回転量で表現されるが、それに加えて振幅が調整されてもよい。
【００５４】
ところで、共通パイロットチャネル及び共有制御チャネルは全ユーザに通知される必要があり、個別パイロットチャネルは特定のユーザにだけ通知されればよい。このため、本実施例では、共通パイロットチャネル及び共有制御チャネルは全セクタを網羅するようなセクタビームで送信される。個別パイロットチャネルは対象のユーザが存在する方向に指向性を有する指向性ビームで送信される。図１１は、セクタビーム及び指向性ビームを模式的に示す。約１２０°のセクタ全域を網羅するセクタビームは実線で示され、特定のユーザの方向に強い利得を有する指向性ビームは破線で示されている。
【００５５】
図１２は周波数帯域が複数の周波数ブロック又はチャンクに分割されている場合のチャネル構成の一例を示す。ユーザは、通信する内容（データサイズ等）に応じて１以上のチャンクを使用することができる。図示の例では、ユーザ１に対して周波数チャンク１が使用され、ユーザ２に対して別の周波数チャンク２が使用されている。各ユーザは、全域に共通に使用される共通パイロットチャネルに加えて、ユーザの位置する方向に特化した個別パイロットチャネルを利用することで、その方向に関するチャネル推定を高精度に行うことができる。
【実施例５】
【００５６】
第４実施例では複数の送信アンテナを用いて１つの指向性ビームが形成されていた。これに対して、ＭＩＭＯ（Ｍｕｌｔｉ  Ｉｎｐｕｔ  Ｍｕｌｔｉ  Ｏｕｔｐｕｔ）多重法では、複数の送信アンテナが独立に使用され、各送信アンテナから別々の信号が同時に同一周波数で送信される一方、受信側では複数の受信アンテナで信号が受信され、何らかの信号分離アルゴリズムを用いて、送信された信号が適切に分離される。複数の送信アンテナを独立に使用することで複数の伝搬路（チャネル）が形成され、データ伝送速度を送信アンテナ数倍に向上させることができる。アンテナ毎に伝搬路が形成されるので、アンテナ毎にパイロットチャネルが送信され、アンテナ毎にチャネル推定を行う必要がある。また、ＭＩＭＯ多重法では、送信アンテナ数ＮＴＸと受信アンテナ数ＮＲＸが異なる場合には何れか少ない方のアンテナ数に合わせて通信が行われる必要がある。例えば、基地局が４つの送信アンテナで信号を送信しても、それらを受信する移動局に受信アンテナが２つしかなければ、４本の送信アンテナをフル活用した場合に期待される伝送速度を達成することはできない。その場合には、２本の送信アンテナで達成可能なスループットしか得られない。移動局が２本の受信アンテナしか有していない場合に、基地局が４本の送信アンテナから独立に信号を送信することは、データの伝送効率を向上させることに寄与しない。このような観点から、本発明の第５実施例では、移動局に備わっているアンテナ数に依存して、基地局の送信方法が適宜変更される。
【００５７】
説明の便宜上、移動局は２つ又は４つのアンテナを有し、基地局は４つのアンテナを有するものとする。しかし、本発明は適切ないかなる本数のアンテナを利用するＭＩＭＯ多重法に使用されてもよい。本実施例では、共通パイロットチャネル及び共有制御チャネルは何れの種類の移動局でも受信され、個別パイロットチャネルは４つのアンテナを有する移動局でのみ使用される。
【００５８】
図１３は、本発明の一実施例によるＭＩＭＯ多重法が行われる様子を示す。図示されているように、送信機（基地局）の第１及び第２の送信アンテナから共通パイロットチャネル（及び共有制御チャネル）が送信される。これは、総ての移動局で使用される。更に、送信機の第３及び第４の送信アンテナから個別パイロットチャネルが送信される。これは、４つの受信アンテナを有する受信機（移動局）でのみ使用される。
【００５９】
図１４は、周波数帯域が複数の周波数ブロック又はチャンクに分割されている場合のチャネル構成の一例を示す。ユーザは、通信する内容（データサイズ等）に応じて１以上のチャンクを使用することができる。図示の例では、ユーザ２に対して周波数チャンク１が使用され、ユーザ１に対して別の周波数チャンク２が使用されている。ＴＴＩの先頭スロットで第１及び第２の送信アンテナから共通パイロットチャネル及び共有制御チャネルが送信される。周波数チャンク２に関する第２シンボル以降では、２つの受信アンテナしか備えていないユーザ１に対する共有データチャネルが送信される。周波数チャンク１に関する第２シンボル以降では、４つの受信アンテナを備えるユーザ２に個別パイロットチャネルが第３及び第４の送信アンテナから送信される。これにより、ユーザ１に対してもユーザ２に対しても各自のスループットを効果的に向上させることができる。
【００６０】
図１５は、共通パイロットチャネルに関するいくつかの多重法を示す。本発明は図示の多重法の例に限らず様々な多重法を利用することができる。例１では、共通パイロットチャネルが周波数方向にのみ多重化されており、これは図１４に示される多重法に相当する。例２では、周波数及び時間の双方向に多重化が行われる。例３では、共通パイロットチャネルが時間方向にのみ多重化される。
【実施例６】
【００６１】
下りリンクパイロットチャネルは、共通パイロットチャネル及び個別パイロットチャネルに分けることができる。共通パイロットチャネルはセクタビームで送信されてもよいし、複数のアンテナを用いた固定アンテナウエイト（固定ビームパタン）によるマルチビームで送信されてもよい。後者の場合にはセクタ全域が所定数個の指向ビームでカバーされる。
【００６２】
（パイロットチャネル）
共通パイロットチャネルは、同一セルに属する複数のセクタから、ユーザの該当するセクタを同定するために用いることができる。同一セルに属する全てのセクタは、同一のスクランブルコード（Ｃｅｌｌ−ｓｐｅｃｉｆｉｃ  ｓｃｒａｍｂｌｉｎｇ  ｃｏｄｅ）を用いる。共通パイロットチャネルは、セルサーチやハンドオーバに使用されてもよいし、周辺セル／セクタの参照レベルの測定に使用されてもよい。共通パイロットチャネルは、瞬時のチャネル状況に応じたスケジューリング、およびチャネル品質情報（ＣＱＩ：  ｃｈａｎｎｅｌ  ｑｕａｌｉｔｙ  ｉｎｆｏｒｍａｔｉｏｎ）を得るための品質測定に使用されてもよい。ＣＱＩは例えば適応リンク制御に使用されてもよい。共通パイロットチャネルは、セクタビーム又はマルチビームで送信する物理チャネルのチャネル推定に使用されてもよい。
【００６３】
個別パイロットチャネルは、セクタビームで送信されてもよいし、マルチビームで送信されてもよいし、ユーザ毎に適応的に生成されたアダプティブビーム（適応指向ビーム）で送信されてもよい。マルチビームに含まれる指向性ビームも適応指向ビームも特定の方向に強いアンテナ利得を有する点で共通するが、前者の指向性ビームは固定されたウエイトで形成されるのに対して、後者の適応指向性ビームのウエイトは移動局の位置に応じて変化する点で異なる。即ち、前者は指向方向が不変な指向性ビームであるのに対して、後者は指向方向が可変な指向性ビームである。個別パイロットチャネルは、ユーザまたは環境に依存する伝搬チャネル条件に応じて適応的に使用される（使用されなくてもよい。）。個別パイロットチャネルは、ユーザ毎に適応的に生成されたアダプティブビームで送信されてもよい。個別パイロットチャネルは、セクタビームまたはマルチビームで送信される物理のチャネル推定を補助するために使用される（基本的には共通パイロットチャネルがチャネル推定に使用される。）。個別パイロットチャネルは、アダプティブビームで送信される物理チャネルのチャネル推定に使用されてもよい。個別パイロットチャネルは、アダプティブビームで送信される物理チャネルのＣＱＩ測定に使用されてもよい。
【００６４】
図１６は共通及び個別パイロットチャネルの構成例を示す。図示の例では共通パイロットチャネルが１つのシンボル内で（１つの時間スロット内で）一定の周波数間隔を空けて各サブキャリアにマッピングされ、個別パイロットチャネルは別の１以上のシンボル内で一定の周波数間隔を空けて共通パイロットチャネルとは別のサブキャリアにマッピングされている。なお、共通パイロットチャネルが１以上のシンボルに分散してマッピングされてもよい。
【００６５】
（ビーム）
共通パイロットチャネルは、セクタビームで送信されてもよく、物理チャネルの復調処理、すなわちチャネル推定および受信タイミング同期に使用されてもよい。また、ＭＩＭＯ（ｍｕｌｔｉｐｌｅ  ｉｎｐｕｔ  ａｎｄ  ｍｕｌｔｉｐｌｅ  ｏｕｔｐｕｔ）方式の送信機から送信されてもよい。さらに、ユーザおよび環境に応じて個別パイロットチャネルを追加することにより、チャネル推定精度を改善することができる。共有データチャネルに使用される特定のチャンクが１又は数少ないユーザにしか用いられていない場合、そのユーザの伝搬環境（移動速度，遅延広がり，受信ＳＩＮＲ等）に応じて、個別パイロットチャネルを追加的に使用することで、チャネル推定精度を更に改善することができる。マルチキャスト／ブロードキャストチャネルにおいて、当該セルにおける最悪の伝搬環境のユーザを想定して個別パイロットチャネルを追加的に使用することで、チャネル推定精度を改善することもできる。一方、セルサーチやハンドオーバのための参照レベル測定、スケジューリング及び適応リンク制御等のためのＣＱＩ測定は、原則として共通パイロットチャネルを用いて行われ、個別パイロットチャネルは補足的に使用されてもよい。
【００６６】
共通パイロットチャネルは、マルチビームで送信される物理チャネルの復調処理、すなわちチャネル推定および受信タイミングの同期に使用されてもよい。さらに、セクタビームの場合と同様に、ユーザおよび環境に応じて個別パイロットチャネルを追加的に使用することで、チャネル推定精度を改善することができる。一方、セルサーチやハンドオーバのための参照レベル測定、スケジューリング及び適応リンク制御等のためのＣＱＩ測定は、原則として共通パイロットチャネルを用いて行われ、個別パイロットチャネルは補足的に使用されてもよい。同一セルにおけるマルチビーム数が多い場合、ユーザが属するビームを特定するのに使用されるパイロット系列を同一セル内で再利用することにより、使用されるパイロット系列数を削減することができる。
【００６７】
図１７はマルチビームで送信されるパイロットチャネルの概念図を示す。図示の例では５つの指向性ビーム（固定ビームパターン）が使用されている。また、指向方向が全く異なる２つの指向性ビームでパイロットシーケンスが再利用される。
【００６８】
適応（指向性）ビームはユーザ毎に適応的に送信ビームを形成するので、チャネル推定には個別パイロットチャネルが使用される。さらに、チャネル推定精度を改善するため、マルチビーム送信と適応ビーム送信におけるチャネル相関が高い場合、共通パイロットチャネルがチャネル推定に併用されてもよい。一方、セルサーチ、ハンドオーバのための参照レベル測定、スケジューリング及び適応リンク制御のためのＣＱＩ測定は、原則としてセクタビームやマルチビームで送信された共通パイロットチャネルを用いて行われる。
【００６９】
図１８は適応指向ビームで送信されるパイロットチャネルを示す。
【００７０】
（パイロットチャネル構成例）
共通パイロットチャネル及び個別パイロットチャネルは、ＴＴＩ毎に周期的に多重化されてもよい。ユーザ及び環境に依存して個別パイロットチャネルはチャネル推定精度を改良するように使用される。共有データチャネルに関して１つのチャンクが１又は数人のユーザによって排他的に使用される場合であって、高い移動性、大きい遅延スプレッド、または非常に低いＳＩＮＲなどの特別な状態下では、共通パイロットチャネルに加えて個別パイロットチャネルを割り当てることによって、正確なチャネル推定が可能になる。マルチキャスト／ブロードキャストチャネルでは、共通パイロットチャネルに加えて個別パイロットチャネルを使用することによって、最も悪い状態のユーザの品質を改良することができる。共有データチャネル内の、付加的なユーザ依存型の個別パイロットチャネル情報は制御シグナリングチャネルによって提供される。従って、低遅延でより多くのパイロットシンボルを使用することで、共有データチャネルの高品質の復調が可能になる。マルチキャスト／ブロードチャネルにおいて、環境に依存する付加的な個別パイロットチャネル情報は最悪の場合の環境におけるユーザの品質に基づく制御シグナリングチャネルによって提供される。低遅延でより多くのパイロットシンボルを使用することで高品質のマルチキャスト／ブロードキャストチャネルが提供される。
【００７１】
パイロットチャネルは、時間領域よりも周波数領域を優先して高密度にマッピングされてもよい。より多くのパイロットチャネルが時間領域よりも周波数領域に割り当てられてもよい（周波数領域でのパイロットチャネル密度が時間領域での密度より高くてもよい。）。ＴＴＩ長が比較的短かったとすると時間領域のチャネル変動は僅かであるかもしれないが、周波数選択性マルチパスフェージングの時間分散性に起因して周波数領域でのチャネル変動は一層大きくなることが予想される。従って、ＦＤＭ方式でパイロットチャネルをサブキャリアに分割して割り当てるよりも、ＴＤＭ方式で周波数領域にパイロットチャネルを高密度にマッピングすることが有利である。
【００７２】
ＴＴＩの先頭からスタガードマッピングを行うことでＴＤＭ及び／又はＦＤＭ方式の多重化が行われてもよい。スタガードマッピングとは図１６に示されるように、ある時間スロットでは一定の周波数間隔でチャネルがマッピングされ、別の時間スロットでは一定の周波数間隔で別の周波数にチャネルがマッピングされるようなチャネル配置である。共通パイロットチャネル及び個別パイロットチャネルは各ＴＴＩの中でスタガードマッピング方式を用いてマッピングされてもよい。共通パイロットチャネルは高優先度で個別パイロットチャネルの前にマッピングされてもよい。各ＴＴＩの最初にパイロットチャネルをマッピングすると、少なくとも以下の利点がある。制御シグナリングチャネルが各ＴＴＩの先頭で共通／個別パイロットチャネルとともにマッピングされていた場合に、様々な遅延スプレッド及びドップラ周波数によるチャネル状態変化の下で、制御シグナリングチャネルが正確なチャネル推定により確実に復調できる。各ＴＴＩの先頭に制御シグナリングチャネルをマッピングすると、チャンク内で何らのトラフィックデータも伝送されない場合に（即ち、制御シグナリングビットしか伝送されない場合に）、ＵＥ（移動局）が効率的な間欠受信を行うのに有利である。
【００７３】
図１９はＴＤＭ方式で共通及び個別パイロットチャネルを割り当てる例を示す。
【００７４】
図２０Ａは本発明の一実施例によるシミュレーション結果を示す図であり、受信Ｅｓ／Ｎ０とスループットとの関係を示す。３つのグラフは、パイロットシンボルをスタガードマッピングする時間スロットの数Nstgを０，１，２と変化させた場合に得られた値を示す。図２０ＢはNstg＝０，１，２の各々に対応するチャネルのマッピング例を示す。図２０Ａの白丸印でプロットされたグラフはNstg＝０に関連し、斜線の丸印でプロットされたグラフはNstg＝１に関連し、黒丸印でプロットされたグラフはNstg＝２に関連する。端末の移動速度は時速１２０ｋｍ／ｈとされている。図２０Ａによれば、パイロットシンボルをマッピングする時間スロット数Nstgが増加するほどスループット特性が改善され、スタガードマッピングが有効であることがわかる。これは時間領域のチャネル推定の追従性が向上するためであると考えられる。
【００７５】
共通パイロットチャネルと個別パイロットチャネルのマッピング方法において、パイロットシンボルは周波数及び時間領域の中で不連続に割り当てられてもよい。例えばＯＦＤＭシンボルの周波数領域に沿った不連続なマッピングがなされてもよい。周波数及び時間領域で不連続に分散してパイロットシンボルを割り当てると、次のような点で有利である。周波数領域にパイロットシンボルを割り当てるサブキャリアを間引くことによって、パイロットシンボルを挿入することによるデータ伝送効率の低下を改善でき、間引きをしない場合とほとんど同程度のチャネル推定精度が維持できる。時間領域における割当量は減少する。実際のセルラ方式における目標セル半径に対しては、共通パイロットチャネルの送信電力を変えなければならない。従って、周波数領域でパイロットシンボルを間引くことによって（即ち他のチャネルとパイロットシンボルを同じＯＦＤＭシンボルの中で多重送信すると）、全体の送信電力を維持しつつ、柔軟に共通パイロットチャネルの送信電力を変えることができる。
【実施例７】
【００７６】
本発明の第７実施例では、同じセルサイトのセクタの中で直交した符号系列を用いる手法が説明される。一般にセルの中に複数のセクタが含まれるが、以下に説明される手法はセクタ間でもセル間でも使用可能である。従来のＷ−ＣＤＭＡでは、各セクタで異なる拡散符号を用いてスクランブルが行われ、受信信号をそのスクランブルコードで逆拡散することでパイロットチャネルが導出され、チャネル推定等が行われる。このセクタごとに異なるスクランブルコードは互いにランダムに決定されているので、パイロットチャネルは符号間（コード間）干渉によりセクタ内でサブキャリア及びサブフレームが同じシンボルからセクタ間干渉を受ける。その結果、高精度なチャネル推定やセルサーチを行うことが比較的困難になったり、たとえそれができたとしても比較的多くの時間が費やされるかもしれない。このことは高速ハンドオーバや頻繁に複数のセクタ間の移動を伴う場合に特に不利になる。この点に関し、データチャネルの下りデータ伝送にＯＦＤＭ方式を採用し、データチャネルにスクランブルコードを乗算しなくて済むようにすることで、マルチパス伝搬環境下でも信号品質をある程度向上させることができるかもしれない。しかしながら、セクタを区別するためにセクタ毎に異なるスクランブルコードがパイロットチャネルに乗算されるので、パイロットチャネルの受信品質は本質的には改善されず、高精度なチャネル推定等は依然として容易でない。本発明の第７実施例は、このような問題点に鑑みてなされたものであり、その課題は、ＯＦＤＭ方式の下りリンクにおけるパイロットチャネルの受信品質を向上させることである。
【００７７】
本実施例によれば、パイロットチャネルにセル固有の直交符号系列に加えてセクタ固有の直交した系列が使用される。これにより、パイロットチャネルは同じセルの隣接セクタからの干渉を避けることができる。パイロットチャネルでの相互セクタ間干渉が避けられるので、チャネル推定精度が改善される。チャネル推定精度が改善されることは、高速セクタ選択やソフトコンバイニングに関連する同時送信に特に有利である。
【００７８】
図２１Ａは本実施例によるセクタ間で（又はビーム間で）直交するパイロットシーケンスを使用する様子を示す。セクタ端でハンドオーバを行う端末は、同時に２つの基地局のパイロットに基づいてチャネル推定を行い、高速かつ高精度にチャネルを推定できる。例えば、セクタの縁又は端部に位置しているユーザ＃１（すなわち、速いセクタ選択を行う或いはソフトコンバイニングを行うユーザ）は、直交系列の逆拡散によってセクタを判別し、正確なチャネル推定を実現できる。速いセクタ選択やソフトコンバイニングを行わないユーザ＃２は、それぞれのパイロットシンボルを使用することで（セル固有の及び／又はセクタ固有の直交コードを考慮することで）、チャネル推定を行うことができる。
【００７９】
図２１Ｂは本発明の一実施例による送信機で使用されるパイロットチャネル生成部を示す。送信機は典型的には無線基地局である。パイロットチャネル生成部はパイロットチャネル用のシーケンスを供給するパイロットシーケンス供給部２１０２と、スクランブルコードを供給するスクランブルコード部２１０４と、セクタ毎に異なる拡散符号系列（直交コード）を供給する直交コード部２１０６と、スクランブルコード及び直交コードを乗算する乗算部２１０８と、乗算部２１０８の出力及びパイロットシーケンスを乗算する乗算部２１１０とを含む。パイロットシーケンスは基地局及び移動局間双方で既知の参照シーケンスである。スクランブルコードは複数のセクタに共通に使用されるランダムシーケンスである。直交コードはセクタ毎に設定され、互いに直交するように決定される。
【００８０】
図２２はパイロットシーケンスに乗算される直交コードの具体例を示す図である。図示されているように、セクタ＃１では（１，１，１，１，１，１，１，１，．．．）のようなコードが１サブキャリア間隔でマッピングされている。セクタ＃２では（１，−１，１，−１，１，−１，１，−１，．．．）のようなコードが１サブキャリア間隔でマッピングされている。セクタ＃３では（１，−１，−１，１，１，−１，−１，１，．．．）のようなコードが１サブキャリア間隔でマッピングされている。これらのコードは互いに直交する。
【００８１】
図２３はパイロットシーケンスに乗算される直交コードの別の具体例を示す図である。図２２と同様であるが、位相を回転させることで符号の直交化が実現される。セクタ＃１では（１，１，１，１，１，１，１，１，．．．）のようなコードが１サブキャリア間隔でマッピングされている。セクタ＃２では（１，ｅj2/3π，ｅ-j2/3π，１，ｅj2/3π，ｅ-j2/3π，１，ｅj2/3π，．．．）のようなコードが１サブキャリア間隔でマッピングされている。セクタ＃３では（１，ｅ-j2/3π，ｅj2/3π，１，ｅ-j2/3π，ｅj2/3π，１，ｅ-j2/3π，．．．）のようなコードが１サブキャリア間隔でマッピングされている。このようなコードでも互いに直交させることができる。
【００８２】
図２４は、スクランブルコード及び直交コードの対応関係例を示す図である。図示の例では、利用可能なチャネル帯域に４０個のサブキャリアが想定され、これらのサブキャリアに各種のデータが対応付けられてＯＦＤＭ方式のデータ伝送が行われる。当然に図示の数値は単なる一例に過ぎない。チャネル帯域はそのシステムで利用可能な全帯域でもよいし、１つのチャンクを表現してもよい。図示の例ではスクランブルコードは４０個のデータシーケンスで表現され、それらは４０個のサブキャリアにそれぞれマッピングされる。図中スクランブルコードに関する１〜４０の数字はスクランブルコードを構成する個々の符号を表現している。１行目と２行目のスクランブルコードが互いに１つずれているのは、1行目と２行目の時点で使用されるスクランブルコードは互いに等しいが、周波数軸方向の対応関係が１つずれて送信されることを示す。これにより、周波数軸方向の信号の均質化を図ることができる。
【００８３】
上述の図２２で説明された例では、セクタ＃１ではこのスクランブルコードに（１，１，１，１，．．．）のような直交コードが乗算され、それがパイロットシーケンスに乗算される。セクタ＃２ではスクランブルコードに（１，−１，−１，１，．．．）のような直交コードが乗算され、それがパイロットシーケンスに乗算される。セクタ＃３ではスクランブルコードに（１，１，−１，−１，．．．）のような直交コードが乗算され、それがパイロットシーケンスに乗算される。図２３で説明された例では、セクタ＃１ではこのスクランブルコードに（１，１，１，１，．．．）のような直交コードが乗算され、それがパイロットシーケンスに乗算される。セクタ＃２ではスクランブルコードに（１，ｅj2/3π，ｅ-j2/3π，．．．）のような直交コードが乗算され、それがパイロットシーケンスに乗算される。セクタ＃３ではスクランブルコードに（１，ｅ-j2/3π，ｅj2/3π，．．．）のような直交コードが乗算され、それがパイロットシーケンスに乗算される。
【００８４】
図２５は共通パイロットチャネル及び他のチャネルにスクランブルコード及び直交コードを乗算する例を示す。図２５には、共通パイロットチャネル用のシーケンスを供給する供給部２５０２と、他のチャネル用のデータシーケンスを供給する供給部２５０４と、スクランブルコードを供給するスクランブルコード部２５０６と、セクタ毎に異なる拡散符号系列（直交コード）を供給する直交コード部２５０８と、スクランブルコード及び直交コードを乗算する乗算部２５１０と、乗算２５１０及び他のチャネル用のデータシーケンスを乗算する乗算部２５１２と、乗算部２５１０の出力及びパイロットシーケンスを乗算する乗算部２５１４とを含む。上述したようにスクランブルコードは複数のセクタに共通に設定され、直交コードはセルごとに異なる（直交する）ように設定される。図示の例では共通パイロットチャネル及び他のチャネルに同一のスクランブルコード及び同一の直交コードが乗算される。
【００８５】
図２６は共通パイロットチャネル及び他のチャネルにスクランブルコード及び直交コードを乗算する別の例を示す。図２５で説明済みの要素については同じ参照番号が付され、重複的な説明は省略される。図２６では更に第２のスクランブルコード部２６０２と、第２のスクランブルコードと直交コードを乗算する乗算部２６０４とが描かれている。第1のスクランブルコード部２５０６は複数のセクタに共通する第1のスクランブルコードを出力する。この第1のスクランブルコードから所定の規則に従って第２のスクランブルコードがスクランブルコード部２６０２から出力され、乗算部２６０４に入力される。乗算部２６０４の出力は共通パイロットチャネル以外のチャネルのデータシーケンスと乗算される。従って共通パイロットチャネルには第1のスクランブルコードと直交コードが乗算されるが、他のチャネルには第２のスクランブルコードと直交コードが乗算される。これにより、共通パイロットチャネルとそれ以外のチャネルを拡散符号で区別することができる。本実施例では第２のスクランブルコードは第１のスクランブルコードから導出されるので、その導出の規則が既知である限り、受信機は何れのチャネルも容易にサーチできる。
【００８６】
図２７は図２５及び図２６に示される例を結合させた様子を示す。図示の例に限らず様々なチャネルの組み合わせに本実施例が適用されてもよい。図示のような組み合わせにすると、例えば拡散率が変動してもよい共有データチャネルと拡散率が一定に維持されるチャネルとを容易に区別できる点で有利である。
【００８７】
上記のようにパイロットチャネルに関する干渉を抑圧することに加えて、共有データチャネルの送信電力が調整されてもよい。
【００８８】
図２８（Ａ），（Ｂ），（Ｃ）は或るユーザが受信する信号を示す。図２８（Ａ）は或るユーザが接続しているセル又はセクタから受信する信号（所望信号）を示す。図中、パイロットチャネルがデータチャネルより大きく描かれているのは、パイロットチャネルがデータチャネルより大きな電力で送信及び受信されていることを示す。図２８（Ｂ）は或るユーザにとって所望信号でない信号（非所望信号）を示す。非所望信号は、そのユーザが接続しているセル以外のセルからの信号、又は接続セクタ以外のセクタからの信号を示し、所望信号に対する干渉信号となる。上記の実施例では所望信号及び非所望信号のパイロットチャネルに異なる直交コードがそれぞれ使用され、パイロットチャネルに関する干渉が抑制されていた。図２８（Ｃ）では、基地局間で又はセクタ間で下りリンクの伝送タイミング又は周波数帯域が調整され、所望信号と非所望信号との干渉が少なくなるように、基地局がデータチャネルを送信する電力（非所望信号の送信電力）が小さく抑制される又は送信が停止される様子が示されている。より一般的には、非所望信号の送信電力が所定値未満に制限される。これにより図２８（Ｂ）で懸念されるかもしれないデータチャネル同士の干渉を抑圧することができる。或いは、非所望信号の送信電力を小さくする（ゼロにすることを含む）代わりに、異なるセルから同じデータチャネルを同時に送信することで、ユーザがソフトコンバイニングを行ってもよい。
【実施例８】
【００８９】
本発明の第８実施例では、ＭＩＭＯ伝送のための直交パイロットマッピングが説明される。直交多重パイロットチャネルはＭＩＭＯ多重やＭＩＭＯダイバーシチ、アダプティブアレーアンテナ送信のようなアンテナ利得技術に使用されてもよい。一例として、共通パイロットチャネルは送信機の全てのアンテナからＭＩＭＯ伝送によって送信される。何故なら、全ての信号伝送のＣＱＩ測定にパイロットチャネルが必要だからである。共通パイロットシンボルの全てのオーバヘッドは送信アンテナの数に関わらず同じである。これはＭＩＭＯ伝送を使用することでデータチャネルにとって、対応するセル適用範囲のエリアを保証するためである。ＭＩＭＯ伝送において、チャネル推定は更に個別パイロットチャネルを用いることによって改善される（４ブランチのＭＩＭＯ伝送におけるアンテナあたりの共通パイロットシンボルの数は単一アンテナ伝送の１／４になる。）。（３）ＭＩＭＯ伝送のための適応的な部分パイロットシンボルマッピング、即ちセクタビーム送信型伝送モードからのパイロットシンボルについて、遅延スプレッドや移動速度などのアプリケーションシナリオに従って周波数及び時間領域内で間引きがなされてもよい。
【００９０】
図２９はＭＩＭＯ用のパイロットチャネルに対するセクタ間の直交系列を示す。これは、４アンテナの送信機の場合を示す。個別パイロットチャネルはチャネル推定を補足するために使用される。図中＃１，＃２，＃３，＃４はそれぞれ第１、第２、第３、第４の送信アンテナに対応することを示す。
【実施例９】
【００９１】
第７実施例及び第８実施例ではパイロットチャネルに直交コードを乗算することで、パイロットチャネルに関するセル間干渉又はセクタ間干渉が抑圧されていた。干渉の抑圧効果を大きくする観点からは、そのような直交コードを使用することが好ましいが、セル及び／又はセクタを区別する観点からは、直交コードが使用されることは必須ではなく、非直交コードが使用されてもよい。但し、一般的なランダムシーケンスで表現される非直交コードが使用される場合には、第７実施例の冒頭で言及したような符号間干渉に起因してパイロットチャネルの品質劣化が懸念される。一方、非直交の符号であっても種類によってはランダムシーケンスほど符号間干渉（相関）の大きくないものもある。そのような相関性の良い符号（例えば、符号間干渉が平均的に符号長分の１程度に収まるような符号）を用いてセル及び／又はセクタが区別されてもよい。そのような性質を有する符号の１例として、カザック(CAZAC)符号が挙げられる。以下、カザック符号について概説する。
【００９２】
図３０に示されるように、ある１つのカザック符号Ａの符号長がＬであるとする。説明の便宜上、この符号長はＬサンプルの期間に相当するものと仮定するが、このような仮定は本発明に必須ではない。このカザック符号Ａの末尾のサンプル（Ｌ番目のサンプル）を含む一連のΔ個のサンプル（図中、斜線で示される）を、カザック符号Ａの先頭に移行することで、図３０下側に示されるように別の符号Ｂが生成される。この場合において、Δ＝１〜（Ｌ−１）に関してカザック符号Ａ及びＢは互に直交する関係を有する。即ち、ある１つのカザック符号とそのカザック符号を循環的に(cyclically)シフトさせた符号は互に直交する。従って符号長Ｌのカザック符号が１つ用意された場合には、理論上Ｌ個の互に直交する符号群を用意することができる。更に、或るカザック符号Ａと、カザック符号Ａのサイクリックシフトからは導出されない別のカザック符号Ｂとは互いに非直交であるが、それらの符号間干渉量は、異なるランダムシーケンス同士の干渉量より少ない。また、或るカザック符号Ａの一部分で構成される符号シーケンスと、カザック符号Ａ又はＢの別の部分で構成される符号シーケンスとの符号間干渉量も、異なるランダムシーケンス同士の干渉量より少ない。カザック符号についての詳細は、例えば次の文献に記載されている：D.C.Chu,“Polyphase  codes  with  good  periodic  correlation  properties”,IEEE  Trans.Inform.Theory,vol.IT-18,pp.531-532,July  1972；3GPP,R1-050822,Texas  Instruments,“On  allocation  of  uplink  sub-channels  in  EUTRA  SC-FDMA”。
【実施例１０】
【００９３】
第７実施例、第８実施例及び第９実施例では、所望信号及び非所望信号のパイロットチャネルは同時に伝送されていた。本発明の第１０実施例では、図３１に示されるように、所望信号及び非所望信号のパイロットチャネルは、時間及び周波数の双方又は一方が異なるように基地局から送信される。これによりパイロットチャネルに関するセル間及び／又はセクタ間の干渉を効果的に抑制することができる。更に図３１の所望信号側に示されているように、非所望信号のパイロットチャネルが送信されている時間に、所望信号のデータチャネルが送信されることを禁止すると、所望信号及び非所望信号間の干渉を更に抑制することができる。
【図面の簡単な説明】
【００９４】
【図１】フレーム、ＴＴＩ及びシンボルの相互関係を示す図である。
【図２】本発明の一実施例による送信機のブロック図を示す。
【図３】本発明の一実施例による受信機のブロック図を示す。
【図４】本発明の一実施例におけるチャネル構成例を示す図である。
【図５】様々なチャネル構成例を示す図である。
【図６】個別パイロットチャネルを含む様々なチャネル構成例を示す図である。
【図７】挿入間隔、シンボル長及び最大遅延時間の相互関係を示す図である。
【図８】本発明の一実施例による送信機のブロック図を示す。
【図９】本発明の一実施例におけるチャネル構成例を示す図である。
【図１０】本発明の一実施例による送信機のブロック図を示す。
【図１１】セクタビーム及び指向性ビームを示す図である。
【図１２】本発明の一実施例におけるチャネル構成例を示す図である。
【図１３】本発明の一実施例によるＭＩＭＯ多重法が行われる様子を示す図である。
【図１４】本発明の一実施例におけるチャネル構成例を示す図である。
【図１５】共通パイロットチャネルに関する様々なチャネル構成例を示す図である。
【図１６】共通／個別パイロットチャネルの構成例を示す図である。
【図１７】マルチビームで送信されるパイロットチャネルの概念図を示す。
【図１８】適応指向ビームで送信されるパイロットチャネルの概念図を示す。
【図１９】ＴＤＭ方式で共通及び個別パイロットチャネルを割り当てる例を示す図である。
【図２０Ａ】スタガードマッピング数を変化させた場合のスループットと平均受信Ｅｓ／Ｎ０の関係を示す図である。
【図２０Ｂ】スタガードマッピング数Nstg＝０，１，２に対するチャネルのマッピング例を示す図である。
【図２１Ａ】セクタ間で直交するパイロットシーケンスを使用する様子を示す図である。
【図２１Ｂ】本発明の一実施例による送信機で使用されるパイロットチャネル生成部を示す。
【図２２】直交するパイロットシーケンスの具体例を示す図である。
【図２３】直交するパイロットシーケンスの具体例を示す図である。
【図２４】スクランブルコード及び直交コードの対応関係例を示す図である。
【図２５】共通パイロットチャネル及び他のチャネルにスクランブルコード及び直交コードを乗算する例（その１）を示す図である。
【図２６】共通パイロットチャネル及び他のチャネルにスクランブルコード及び直交コードを乗算する例（その２）を示す図である。
【図２７】図２５及び図２６に示される例を結合させた様子を示す図である。
【図２８】所望信号及び非所望信号のパイロットチャネル及びデータチャネルを示す図である。
【図２９】ＭＩＭＯ用のパイロットチャネルに対するセクタ間の直交系列を示す図である。
【図３０】カザック符号の性質を説明するための図である。
【図３１】所望信号及び非所望信号のパイロットチャネル及びデータチャネルを示す図である。
【符号の説明】
【００９５】
２０２−１〜Ｋ  データチャネル処理部
２１０  拡散及びチャネル符号化部
２１２  インターリーブ処理部
２１４  データ変調部
２１６  時間／周波数マッピング部
２０４  共通パイロット多重部
２０６  ＩＦＦＴ部
２０８  ガードインターバル挿入部
３０２  ガードインターバル除去部
３０４  ＦＦＴ部
３０６  共通パイロット分離部
３０８  チャネル推定部
３１０  個別パイロット分離部
３１２  時間／周波数データ抽出部
３１４  データ復調部
３１６  デインタリーブ処理部
３１８  逆拡散及びチャネル復号部
７２  個別パイロットチャネル制御部
７４  個別パイロット多重部
１０２  個別パイロット多重部
１０４  アンテナウエイト制御部
１０６  ウエイト設定部
２１０２  パイロットシーケンス供給部
２１０４  スクランブルコード部
２１０６  直交コード部
２１０８，２１１０  乗算部
２５０２，２５０４  供給部
２５０６  スクランブルコード部
２５０８  直交コード部
２５１０，２５１２，２５１４  乗算部
２６０２  スクランブルコード部
２６０４  乗算部
【図１】
2007089113.tif 000003
【図２】
2007089113.tif 000004
【図３】
2007089113.tif 000005
【図４】
2007089113.tif 000006
【図５】
2007089113.tif 000007
【図６】
2007089113.tif 000008
【図７】
2007089113.tif 000009
【図８】
2007089113.tif 000010
【図９】
2007089113.tif 000011
【図１０】
2007089113.tif 000012
【図１１】
2007089113.tif 000013
【図１２】
2007089113.tif 000014
【図１３】
2007089113.tif 000015
【図１４】
2007089113.tif 000016
【図１５】
2007089113.tif 000017
【図１６】
2007089113.tif 000018
【図１７】
2007089113.tif 000019
【図１８】
2007089113.tif 000020
【図１９】
2007089113.tif 000021
【図２０Ａ】
2007089113.tif 000022
【図２０Ｂ】
2007089113.tif 000023
【図２１Ａ】
2007089113.tif 000024
【図２１Ｂ】
2007089113.tif 000025
【図２２】
2007089113.tif 000026
【図２３】
2007089113.tif 000027
【図２４】
2007089113.tif 000028
【図２５】
2007089113.tif 000029
【図２６】
2007089113.tif 000030
【図２７】
2007089113.tif 000031
【図２８】
2007089113.tif 000032
【図２９】
2007089113.tif 000033
【図３０】
2007089113.tif 000034
【図３１】
2007089113.tif 000035